(57)【特許請求の範囲】
【請求項１】
マイクロバブル水を噴出可能な浴槽用給湯口アダプターに排気端部が接続される吸気チューブの吸気端部に接続されるとともに、前記給湯口アダプターに前記吸気チューブを介してマイクロバブル用空気を供給する、給湯口アダプター用吸気ユニットであって、
前記吸気チューブの前記吸気端部に取り付けられる吸気リングを具備しており、
前記吸気リングは、
上方向に開口する状態に配置される筒部と、
前記筒部の内側に上下方向に延びる状態に配置される吸気管部と、を備えており、
前記吸気管部は、上下方向に延びた吸気孔を有しており、
前記吸気管部の下部は、前記吸気チューブの前記吸気端部に接続される接続管部とされており、
前記吸気管部の上端に前記吸気孔の吸気口が形成されており、
前記吸気管部が前記筒部に、前記吸気管部と前記筒部との間に配置された連結壁部を介して連結されており、
前記連結壁部に、前記筒部内に入った水を前記筒部外へ排出する排水孔が設けられており、
前記連結壁部の上面が前記吸気管部を中心とした凸錐面状に形成されており、
前記排水孔は、前記連結壁部の少なくとも前記筒部側の部分に設けられている、給湯口アダプター用吸気ユニット。
【請求項２】
マイクロバブル水を噴出可能な浴槽用給湯口アダプターに排気端部が接続される吸気チューブの吸気端部に接続されるとともに、前記給湯口アダプターに前記吸気チューブを介してマイクロバブル用空気を供給する、給湯口アダプター用吸気ユニットであって、
前記吸気チューブの前記吸気端部に取り付けられる吸気リングを具備しており、
前記吸気リングは、
上方向に開口する状態に配置される筒部と、
前記筒部の内側に上下方向に延びる状態に配置される吸気管部と、を備えており、
前記吸気管部は、上下方向に延びた吸気孔を有しており、
前記吸気管部の下部は、前記吸気チューブの前記吸気端部に接続される接続管部とされており、
前記吸気管部の上端に前記吸気孔の吸気口が形成されており、
さらに、前記吸気管部の上端には上下方向に対して直交する平坦面が形成されており、
前記吸気口は、前記平坦面の中央部に形成されており、
前記平坦面の周囲面が下方向に傾斜して前記吸気管部の外周面に連接している、給湯口アダプター用吸気ユニット。
【請求項３】
前記吸気管部が前記筒部に、前記吸気管部と前記筒部との間に配置された連結壁部を介して連結されており、
前記連結壁部に、前記筒部内に入った水を前記筒部外へ排出する排水孔が設けられている請求項２記載の給湯口アダプター用吸気ユニット。
【請求項４】
前記連結壁部の上面が前記吸気管部を中心とした凸錐面状に形成されており、
前記排水孔は、前記連結壁部の少なくとも前記筒部側の部分に設けられている請求項３記載の給湯口アダプター用吸気ユニット。
【請求項５】
前記吸気リングは樹脂製である請求項１〜４のいずれかに記載の給湯口アダプター用吸気ユニット。
【発明の詳細な説明】
【技術分野】
【０００１】
本発明は、マイクロバブル水を噴出可能な浴槽用給湯口アダプターに用いられる吸気ユニットに関する。
【背景技術】
【０００２】
近年においては、浴槽内の湯水に直径数十μｍ以下の微細気泡であるマイクロバブル（ナノバブルも含む）を発生させて入浴するという入浴方法が、温浴効果、マッサージ効果、ダイエット効果、リラックス効果等を格段に向上させるという報告が多く寄せられており、注目されている。
【０００３】
浴槽内にマイクロバブルを発生させる装置としては例えば、特許文献１〜３に開示されたマイクロバブル発生機能付きの追焚装置が知られている。
【０００４】
この追焚装置は、浴槽に設置される給湯口アダプターと、室外に設置される室外給湯機と、給湯口アダプターおよび室外給湯機間に湯水を循環させる循環路とを備え、浴槽内の湯水を室外給湯機に吸い込んで加熱した後、その湯水を給湯口アダプターから浴槽内に吐出するように湯水を循環させることにより、追焚処理を行うようにしている。さらに給湯口アダプターの内部にバブル発生ノズルが組み込まれており、必要に応じて、マイクロバブルが混入された湯水であるマイクロバブル水を給湯口アダプターから浴槽内に噴出して浴槽内にマイクロバブルを発生させるようにしている。
【０００５】
給湯口アダプターは、一般に浴槽の側壁に取り付けられており、室外の給湯機から供給された湯水を浴槽内に供給する湯はり処理と、浴槽内の湯水を吸い込んで室外の給湯機に送り、そこで再加熱して高温のお湯を浴槽内に戻す追焚処理との他に、浴槽内にマイクロバブル水を噴出するマイクロバブル水噴出処理を行うことができるようになっている。
【０００６】
すなわち、このような給湯口アダプターは、給湯機から湯水が給湯口アダプター内に組み込まれたバブル発生ノズル内を通過することにより当該ノズル内が負圧となり、その負圧によって空気が吸気ユニットから吸い込まれて湯水にマイクロバルブとして混入しマイクロバブル水が噴出されるようになっている。
【先行技術文献】
【特許文献】
【０００７】
【特許文献１】特許第４８８７０５５号公報
【特許文献２】特開２０１４−１６３５７３号公報
【特許文献３】特開２０１４−１６３５７４号公報
【発明の概要】
【発明が解決しようとする課題】
【０００８】
吸気ユニットと給湯口アダプターは吸気チューブを介して接続される。すなわち、吸気チューブの吸気端部は吸気ユニットに接続され、吸気チューブの排気端部は給湯口アダプターに接続される。そして、吸気ユニットから空気が吸い込まれると、空気は吸気チューブを介して給湯口アダプターに供給されてバブル発生ノズル内へ導入される。
【０００９】
吸気ユニットにおいて、吸気チューブの吸気端部には、吸気量（即ち空気の吸込み量）が減少するように吸気量を調節してマイクロバブルの発生を良好にするための吸気リングが取り付けられる。この吸気リングとして、本発明者は図１１に示したものを考えた。
【００１０】
同図の吸気リング１０２は、金属製であり、有底円筒部１０３と接続管部１０６とを備えている。そして、吸気リング１０２は、円筒部１０３の開口を上方向に向けた状態で吸気ユニットの筐体（図示せず）内にて保持される。円筒部１０３内には、吸い込まれる空気中の塵埃を除去する円柱状の塵埃除去フィルタ１０９が充填配置されている。同図では、塵埃除去フィルタ１０９は弾性を有するスポンジフィルタからなるものである。
【００１１】
接続管部１０６は、円筒部１０３の底部１０４の中心部に下方向に突出した状態に一体形成されており、上下方向に延びた吸気孔１０７を有している。そして、接続管部１０６は吸気チューブ１２０の吸気端部１２０ｂに内嵌状態に接続される。
【００１２】
接続管部１０６の吸気孔１０７の上端部は、吸気量を適量に減少させるために局部的に小径に形成されて小径孔１０７ａとなっており、この小径孔１０７ａの上端開口からなる吸気口１０７ｂが円筒部１０３の底部１０４の平坦な内面の中心部に形成されている。
【００１３】
しかしながら、上述の吸気リング１０２には次のような難点があった。
【００１４】
円筒部１０３の底部１０４の内面は平坦であって、この内面に吸気口１０７ｂが形成されているから、円筒部１０３内に入った水滴等の水が吸気口１０７ｂに浸入し易い。さらに、吸気口１０７ｂの直径は非常に小さく（例えば直径０．０６〜０．２ｍｍ）、しかも水の流動性が空気よりも悪いことから、水が吸気口１０７ｂに浸入するとこの水で吸気口１０７ｂが比較的簡単に塞がれてしまい良好な吸気が阻害され易いという難点があった。
【００１５】
本発明は、上述した技術背景に鑑みてなされたもので、本発明の解決課題は、マイクロバブル水を噴出可能な浴槽用給湯口アダプターに用いられる吸気ユニットにおいて、吸気リングの吸気口が水滴等の水で塞がれにくくすることにある。
【課題を解決するための手段】
【００１６】
本発明は以下の手段を提供する。
【００１７】
［１］  マイクロバブル水を噴出可能な浴槽用給湯口アダプターに排気端部が接続される吸気チューブの吸気端部に接続されるとともに、前記給湯口アダプターに前記吸気チューブを介してマイクロバブル用空気を供給する、給湯口アダプター用吸気ユニットであって、
前記吸気チューブの前記吸気端部に取り付けられる吸気リングを具備しており、
前記吸気リングは、
上方向に開口する状態に配置される筒部と、
前記筒部の内側に上下方向に延びる状態に配置される吸気管部と、を備えており、
前記吸気管部は、上下方向に延びた吸気孔を有しており、
前記吸気管部の下部は、前記吸気チューブの前記吸気端部に接続される接続管部とされており、
前記吸気管部の上端に前記吸気孔の吸気口が形成されている、給湯口アダプター用吸気ユニット。
【００１８】
［２］  前記吸気管部が前記筒部に、前記吸気管部と前記筒部との間に配置された連結壁部を介して連結されており、
前記連結壁部に、前記筒部内に入った水を前記筒部外へ排出する排水孔が設けられている前項１記載の給湯口アダプター用吸気ユニット。
【００１９】
［３］  前記連結壁部の上面が前記吸気管部を中心とした凸錐面状に形成されており、
前記排水孔は、前記連結壁部の少なくとも前記筒部側の部分に設けられている前項２記載の給湯口アダプター用吸気ユニット。
【００２０】
［４］  前記吸気管部の上端には上下方向に対して直交する平坦面が形成されており、
前記吸気口は、前記平坦面の中央部に形成されており、
前記平坦面の周囲面が下方向に傾斜して前記吸気管部の外周面に連接している前項１〜３のいずれかに記載の給湯口アダプター用吸気ユニット。
【００２１】
［５］  前記吸気リングは樹脂製である前項１〜４のいずれかに記載の給湯口アダプター用吸気ユニット。
【発明の効果】
【００２２】
本発明は以下の効果を奏する。
【００２３】
前項［１］では、吸気リングの筒部の内側に吸気管部が上下方向に延びる状態に配置されるとともに、この吸気管部の上端に吸気孔の吸気口が形成されているので、吸気リングの筒部内に水滴等の水が入った場合でもこの水で吸気口が塞がれるのを防止することができる。
【００２４】
前項［２］では、吸気管部と筒部との間に配置された連結壁部に排水孔が設けられているので、筒部内に入った水を筒部外へ排出することができ、これにより、水による吸気口の閉塞を確実に防止することができる。
【００２５】
前項［３］では、連結壁部の上面が吸気管部を中心とした凸錐面状に形成されているので、筒部内に入った水は連結壁部の上面上を筒部側に向かって流れる。また、排水孔は連結壁部の少なくとも筒部側の部分に設けられているので、筒部側に向かって流れた水を排水孔から確実に排出することができる。
【００２６】
前項［４］では、吸気口は、吸気管部の上端の平坦面の中央部に形成されているので、吸気管部の上端から吸気口をドリルで穿孔する際において、吸気管部の上端に当てたドリルの先端の位置が不慮にずれるのを抑制することができる。これにより、ドリルの折損を抑制することができるし、吸気口を容易に穿孔することができる。
【００２７】
さらに、平坦面の周囲面が下方向に傾斜して吸気管部の外周面に連接しているので、平坦面に水滴等の水が付着しても、この水が周囲面を伝って吸気管部の外周面へ流れ落ち易くなる。これにより、平坦面上に水が溜まりにくくなって水による吸気口の閉塞を更に確実に防止することができる。
【００２８】
前項［５］では、吸気リングが樹脂製であることにより、吸気リングが水で錆びることがない。したがって、水による吸気口の閉塞だけではなく更に錆びによる吸気口の閉塞をも防止することができる。
【図面の簡単な説明】
【００２９】
【図１】図１は、本発明の一実施形態に係る吸気ユニットと給湯口アダプターが取り付けられた、浴室内における浴槽周辺を示す斜視図である。
【図２】図２は、同吸気ユニットと同給湯口アダプターとを分離して示す斜視図である。
【図３】図３は、同吸気ユニットの下面図である。
【図４】図４は、同吸気ユニットを吸気チューブと接続した状態で示す断面図である。
【図５】図５は、図４中のＸ１−Ｘ１線断面図である。
【図６】図６は、同吸気ユニットの吸気リングの平面図である。
【図７】図７は、同吸気リングの正面図である。
【図８】図８は、同吸気リングの下面図である。
【図９】図９は、図７中のＸ２−Ｘ２線断面図である。
【図１０】図１０は、図９中のＺ部分の拡大図である。
【図１１】図１１は、本発明の参考形態に係る吸気リングの断面図である。
【発明を実施するための形態】
【００３０】
次に、本発明の一実施形態について図面を参照して以下に説明する。
【００３１】
図１及び２に示すように、本発明の一実施形態に係る吸気ユニット１は、浴室内に配置された浴槽Ｔの側壁に取り付けられる浴槽用給湯口アダプター３０に用いられるものであり、マイクロバブル発生機能付きの追焚装置に備えられるものである。
【００３２】
すなわち、給湯口アダプター３０は、マイクロバブル（ナノバブルを含む）が混入された湯水であるマイクロバブル水Ｍの発生機能及び噴出機能を有するものであり、室外の給湯機（図示せず）から供給された湯水を浴槽Ｔ内に供給する湯はり処理と、浴槽Ｔ内の湯水４０を吸い込んで室外の給湯機に送り、そこで再加熱して高温のお湯を浴槽Ｔ内に戻す追焚処理との他に、更に、マイクロバブル水Ｍを浴槽Ｔ内の湯水４０中に噴出して浴槽Ｔ内の湯水４０にマイクロバブルを発生させるマイクロバブル水噴出処理を行うことができるように構成されている。
【００３３】
なお図１において、３６は、給湯口アダプター３０に対して湯はり処理、追焚処理等の所定の処理を指示する操作パネルであり、浴室内の壁面４５に取り付けられている。
【００３４】
給湯口アダプター３０のマイクロバブル水噴出機構は、浴槽Ｔ内へ供給される湯水の流れにより発生するベンチュリー効果を利用して空気を吸い込んで湯水に混入させマイクロバブル水Ｍを発生及び噴出する方式のものである。
【００３５】
すなわち詳述すると、給湯口アダプター３０は、その内部にバブル発生ノズル（図示せず）が設けられており、室外の給湯機から湯水が浴槽Ｔ内へ供給される途中で当該湯水がバブル発生ノズル内を通過することにより当該ノズル内が負圧となり、その負圧によって空気が吸気ユニット１から吸い込まれて湯水にマイクロバルブとして混入しマイクロバブル水Ｍが噴出されるように構成されている。
【００３６】
図２に示すように、給湯口アダプター３０は、浴槽Ｔに対して内側に向いた面（この面を「前面」という）に設けられたマイクロバブル水噴出口３１を有するとともに、この噴出口３１からマイクロバブル水Ｍが浴槽Ｔの内側に向かって噴出されるようになっている。
【００３７】
なお、給湯口アダプター３０の前面には、マイクロバブル水噴出口３１の他に、更に、浴槽Ｔ内の湯水４０を吸い込む多数の吸込口３２、マイクロバブル水Ｍの噴出モードを許可モードと禁止モードとに切り替える切替摘まみ３４などが設けられている。給湯口アダプター３０の下面には、湯はり処理等において浴槽Ｔ内に湯水４０を供給する吐出口３３が設けられている。
【００３８】
図１に示すように、吸気ユニット１は吸気チューブ２０を介して給湯口アダプター３０に接続されており、マイクロバブル水Ｍの噴出時には、吸気ユニット１から空気が吸い込まれて吸気チューブ２０（詳述すると吸気チューブ２０内の後記空気流通孔２０ｃ）を介して給湯口アダプター３０にマイクロバブル用空気として供給される。
【００３９】
吸気チューブ２０は、柔軟性及び弾性を有する軟質合成樹脂や合成ゴム製であり、断面円形状のものである。さらに、吸気チューブ２０は、その内側に、吸気チューブ２０に沿って延びた空気流通孔２０ｃを有している（図４参照）。
【００４０】
図２に示すように、吸気チューブ２０の一端部（下端部）からなる排気端部２０ａは、給湯口アダプター３０の上端部に設けられたマイクロバブル用空気供給口３０ａに着脱可能に接続されており、排気端部２０ａから排出された空気はこの空気供給口３０ａから給湯口アダプター３０内のバブル発生ノズル内へ供給されて湯水にマイクロバブルとして混入される。一方、吸気チューブ２０の他端部（上端部）からなる吸気端部２０ｂは、吸気ユニット１に接続される。
【００４１】
図３〜５に示すように、吸気ユニット１は、本実施形態では浴室内に配置されるものであり、吸気リング２、吸気リング２を収容する筐体１０などを具備している。
【００４２】
筐体１０は、主に吸気リング２に対する防塵性及び防滴性を確保するためのものであり、図４及び５に示すように基板１１とカバー部材１２を備えている。基板１１とカバー部材１２はそれぞれ硬質合成樹脂製である。カバー部材１２は、基板１１の表面側を覆うように基板１１の外周縁部に着脱自在に取り付けられるとともに、裏面側が開放された箱型のものである。
【００４３】
基板１１の裏面側には吸盤１４が取り付けられており、この吸盤１４によって吸気ユニット１（筐体１０）は浴室内の壁面４５に着脱自在に取り付けられるようになっている（図１参照）。
【００４４】
本実施形態において、この吸盤１４が吸気ユニット１を浴室内の壁面４５に着脱自在に取り付けられるための取付手段として構成されている。なお、本発明において、浴室内の壁面４５という場合、浴室を構成する周壁の内面の他に、浴室に設置される窓の内面、収納棚の背板面、鏡面、ドアの内面、更には浴槽（バスタブ）Ｔ自体の内外壁面も含まれる。
【００４５】
吸気リング２は、吸気量が減少するように吸気量を調節することにより給湯口アダプター３０においてマイクロバブルの発生を良好にするための硬質合成樹脂製のものであり、後述するように筐体１０内に位置固定状態に収容保持されている。
【００４６】
図３及び４に示すように、筐体１０のカバー部材１２の下壁には、吸気チューブ２０との干渉を避けるための切欠部１２ａが形成されている。そして、この切欠部１２ａ内に吸気チューブ２０の吸気端部２０ｂが通されるとともに（図４参照）、この切欠部１２ａから筐体１０の外側の空気を内側に取り込むことができるようになっている。
【００４７】
図６〜９に示すように、吸気リング２は、筒部としての円筒部３、吸気管部５等を備えている。そして、吸気リング２は、図４及び５に示すように、筐体１０内において、円筒部３の軸線Ｊ（図７参照）が鉛直になり且つ円筒部３が上方向に開口する状態になるように保持されている。
【００４８】
すなわち、筐体１０の基板１１には、その表面側へ突出した弾性を有する左右一対の挟持片部１１ａ、１１ａと、左右一対の下受け片部１１ｂ、１１ｂと、左右一対の上押さえ片部１１ｃ、１１ｃとが、吸気リング２を保持する保持部として一体に設けられている。そして、吸気リング２の円筒部３の外周面がその左右両側から両挟持片部１１ａ、１１ａで挟持されるとともに、円筒部３の下縁部がその下側から両下受け片部１１ｂ、１１ｂで受けられ、且つ、円筒部３の上縁部がその上側から両上押さえ片部１１ｃ、１１ｃで円筒部３の開口を閉塞しない状態にして押さえられており、これにより、筐体１０内において円筒部３が上方向に開口する状態に配置されるように吸気リング２が着脱自在に保持されている。
【００４９】
図９に示すように、吸気リング２の吸気管部５は、円筒部３の内側中心部に円筒部３の軸線Ｊ（図７参照）に沿って上下方向に延びる状態に配置されている。そして、吸気管部５の上下方向中間部が円筒部３の下端部に、吸気管部５と円筒部３との間に配置された連結壁部４を介して一体に連結されている。
【００５０】
吸気管部５は、その内部に、円筒部３の軸線Ｊに沿って上下方向に延びた吸気孔７を有している。
【００５１】
吸気管部５における連結壁部４との連結位置よりも下部は、図４に示すように、吸気チューブ２０の吸気端部２０ｂに内嵌状態に着脱可能に接続される接続管部６とされている。接続管部６が吸気チューブ２０の吸気端部２ｂに接続された状態では、接続管部６の吸気孔７と吸気チューブ２０の空気流通孔２０ｃとが連通している。接続管部６の外周面には環状の抜止め凸部６ａが形成されている。吸気管部５における連結壁部４との連結位置よりも上部は、連結壁部４（詳述すると連結壁部４の上面４ａ）に対して上方向に突出状に形成されている。
【００５２】
図９に示すように、吸気管部５の上端は、円筒部３の上端位置よりも若干下側に位置している。さらに、図１０に示すようにこの上端には、上下方向（即ち円筒部３の軸線方向）に対して直交する平面視円形状の平坦面５ｃが形成されている。さらに、平坦面５ｃを包囲する複数段の環状の周囲面５ｄ、５ｅが下方向に傾斜して吸気管部５の上部の外周面５ｆに連接している。本実施形態では、周囲面は、平坦面５ｃに隣接する第１段目の周囲面５ｄと外周面５ｆに隣接する第２段目の周囲面５ｅとから構成されており、第２段目の周囲面５ｅの下方向への傾斜角度は第１段目の周囲面５ｄのそれよりも大きくなっている。さらに、吸気管部５の上部の外周面５ｆは、第２段目の周囲面５ｅの下方向への傾斜角よりも格段に大きく傾斜したテーパ面に形成されている。
【００５３】
吸気管部５において、吸気孔７の上端部は、吸気量を適量に減少させるために局部的に小径に形成されて小径孔７ａとなっており、この小径孔７ａの上端開口からなる平面視円形状の吸気口７ｂが吸気管部５の上端の平坦面５ｃの中央部における円筒部３の軸心位置に形成されている。
【００５４】
吸気口７ｂ（小径孔７ａ）は、吸気量を適量に調節する吸気量調節口（吸気量調節孔）として機能するものであり、その直径は非常に小さい。例えば、吸気孔７における小径孔７ａ以外の部分の直径は０．８〜１．５ｍｍに設定されるが、吸気口（小径孔７ａ）の直径は例えば０．０６〜０．２ｍｍに設定される。
【００５５】
図９に示すように、連結壁部４の上面４ａは、吸気管部５の上部を中心とした凸錐面状に形成されており、本実施形態では凸円錐面状に形成されている。一方、連結壁部４の下面４ｂは、上下方向（即ち円筒部３の軸線方向）に対して垂直面に形成されている。
【００５６】
さらに、吸気ユニット１は浴室内に配置されるので、吸気リング２の円筒部３の内周面や吸気管部５の上部の外周面５ｆには浴室内の湯気（水蒸気）の凝結により水滴が付着し易い。このような水滴等からなる、円筒部３内に入った水を、円筒部３内から円筒部３外側へ下方向に排出するため、図６及び８に示すように、連結壁部４には一つ又は複数の排水孔８が設けられている。本実施形態では、排水孔８の個数は４つであり、これらの排水孔８は連結壁部４の少なくとも円筒部３側の部分に、吸気管部５を中心に周方向に離間して配設されるとともに、各排水孔８の平面視形状が扇形状に形成されている。さらに、各排水孔８の内周面における円筒部３側の部分は、円筒部３の内周面に上下方向に面一（つらいち）に連接している。
【００５７】
さらに、吸気リング２の円筒部３の内側には、吸い込まれる空気中の塵埃を除去する塵埃除去フィルタ（図１１参照、１０９）は配置されていない。したがって、吸気管部５の上端は、塵埃除去フィルタで覆われないで筐体１０内において周方向の全周と上方向とに露出している。
【００５８】
本実施形態の吸気ユニット１では、給湯口アダプター３０がマイクロバブル水Ｍの噴出許可モードになると、吸気ユニット１の吸気管部５の上端の吸気口７ｂから空気が吸い込まれる。そして、空気が吸気チューブ２０内を通過して給湯口アダプター３０の空気供給口３０ａから給湯口アダプター３０のバブル発生ノズル内へ供給され、当該ノズル内を流れる湯水にマイクロバブルとして混入される。これにより、マイクロバブル水Ｍが生成されるとともにマイクロバブル水噴出口３１から浴槽Ｔ内に噴出される。
【００５９】
本実施形態の吸気ユニット１には次のような利点がある。
【００６０】
吸気リング２の円筒部３の内側に吸気管部５が上下方向に延びる状態に配置されるとともに、吸気管部５の上端に吸気孔７の吸気口７ｂが形成されているので、吸気リング２の円筒部３の内側に水滴等の水が入った場合でもこの水で吸気口７ｂが塞がれるのを防止することができる。したがって、良好な吸気状態を長期間に亘って維持することができる。
【００６１】
さらに、連結壁部４に排水孔８が設けられているので、円筒部３内に入った水を円筒部３外へ排出することができ、これにより、水による吸気口７ｂの閉塞を確実に防止することができる。
【００６２】
さらに、連結壁部４の上面４ａが吸気管部５を中心とした凸円錐面状に形成されているので、円筒部３内に入った水は連結壁部４の上面４ａ上を円筒部３側に向かって流れる。また、排水孔８は連結壁部４の少なくとも円筒部３側の部分に設けられているので、円筒部３側に向かって流れた水を排水孔８から確実に排出することができる。
【００６３】
さらに、吸気口７ｂは、吸気管部５の上端の平坦面５ｃの中央部に形成されているので、吸気管部５の上端から吸気口７ｂをドリルで穿孔する際において、吸気管部５の上端に当てたドリルの先端の位置が不慮にずれるのを抑制することができる。これにより、ドリルの折損を抑制することができるし、吸気口７ｂを容易に穿孔することができる。
【００６４】
さらに、平坦面５ｃの周囲面（第１段目の周囲面５ｄ及び第２段目の周囲面５ｅ）が下方向に傾斜して吸気管部５の外周面５ｆに連接しているので、平坦面５ｃに水滴等の水が付着しても、この水が周囲面５ｄ、５ｅを伝って吸気管部５の外周面５ｆへ流れ落ち易くなる。これにより、平坦面５ｃ上に水が溜まりにくくなって水による吸気口７ｂの閉塞を更に確実に防止することができる。
【００６５】
さらに、吸気リング２が樹脂製であるから、吸気リング２が水で錆びることがない。したがって、水による吸気口７ｂの閉塞だけではなく更に錆びによる吸気口７ｂの閉塞をも防止することができる。
【００６６】
さらに、吸気管部５の上端が塵埃除去フィルタで覆われていないので、次の利点がある。
【００６７】
すなわち、もし仮に図１１に示した塵埃除去フィルタ１０９が円筒部３内に配置されている場合には、吸気管部５の上端（及び吸気口７ｂ）が塵埃除去フィルタ１０９で上側から覆われる状態になる。この場合、塵埃除去フィルタ１０９に水滴等の水が付着すると、この水がフィルタ１０９の内部に侵入して吸気口７ｂがこの水で閉塞され易い。これに対し、本実施形態では、吸気管部５の上端が塵埃除去フィルタで覆われていないので、塵埃除去フィルタに付着及び侵入した水滴等の水による吸気口７ｂの閉塞をも防止することができる。
【００６８】
さらに本実施形態では、吸気ユニット１は浴室内に配置される。したがって、浴室内の暖気をマイクロバブル用空気として吸い込むことができる。これにより、暖かいマイクロバブル水Ｍを浴槽Ｔ内の湯水４０中に噴出することができ、屋外の冷気をマイクロバブル用空気として吸い込むことによる浴槽Ｔ内の湯水４０の温度低下を抑制することができる。さらに、吸気ユニット１から屋外の塵埃や臭気が吸い込まれることがなく、塵埃や臭気による汚染も有効に抑制することができて、快適な入浴環境を得ることができる。また、吸気チューブ２０は浴室内に露出状態に配置されており、したがって、吸気チューブ２０を簡単に設置することができるとともに、保守点検も容易であり、故障時の修理や交換等も簡単に行うことができる。
【００６９】
さらに、吸気チューブ２０の排気端部２０ａは、給湯口アダプター３０のマイクロバブル用空気供給口３０ａに着脱可能に取り付けられる。したがって、入浴時以外等の不要時に、吸気チューブ２０を給湯口アダプター３０から取り外すことができ、例えば吸気チューブ２０の存在を気にすることなく浴槽Ｔの清掃を行うことができる。さらに、吸気ユニット１の吸気リング２の接続管部６には、吸気チューブ２０の吸気端部２０ｂが着脱自在に取り付けられるので、入浴時以外等の不要時に、吸気チューブ２０を吸気ユニット１から取り外すことができる。したがって、この点からも、吸気チューブ２０の存在を気にすることなく浴室内の清掃を容易に行うことができる。
【００７０】
さらに、吸気ユニット１は、浴室内の壁面４５に着脱自在に取り付ける取付部材として吸盤１４を備えているので、浴室内の所望の位置に吸気ユニット１を取り付けることができ、使い勝手が良く汎用性を向上させることができる。
【００７１】
以上で本発明の一実施形態を説明したが、本発明は上記実施形態に限定されるものではなく、本発明の要旨を逸脱しない範囲内において様々に変更可能である。
【００７２】
例えば、吸気リングの筒部の形状は、本実施形態では円筒状であるが、本発明ではその他に例えば角筒状（例：四角筒状、六角筒状、八角筒状）であることを排除するものではない。
【００７３】
さらに、吸気リングの連結壁部の上面は、本実施形態では凸円錐面状であるが、本発明ではその他に例えば凸角錐面状（例：凸四角錐面状、凸六角錐面状、凸八角錐面状）であることを排除するものではない。
【産業上の利用可能性】
【００７４】
本発明は、マイクロバブル水を噴出可能な浴槽用給湯口アダプターに用いられる吸気ユニットに利用可能である。
【符号の説明】
【００７５】
１：吸気ユニット
２：吸気リング
３：円筒部（筒部）
４：連結壁部
５：吸気管部
５ｃ：平坦面
５ｄ、５ｅ：周囲面
５ｆ：吸気管部の外周面
６：接続管部
７：吸気孔
７ｂ：吸気口
８：排水孔
１０：筐体
２０：吸気チューブ
２０ａ：排気端部
２０ｂ：吸気端部
３０：給湯口アダプター
Ｍ：マイクロバブル水
【図１】
0006546408.tif 000002
【図２】
0006546408.tif 000003
【図３】
0006546408.tif 000004
【図４】
0006546408.tif 000005
【図５】
0006546408.tif 000006
【図６】
0006546408.tif 000007
【図７】
0006546408.tif 000008
【図８】
0006546408.tif 000009
【図９】
0006546408.tif 000010
【図１０】
0006546408.tif 000011
【図１１】
0006546408.tif 000012